Podtech/llm-jp-corpus-v4-ja_patent huggingface dataset:
(57)【要約】      （修正有）【課題】押圧アームの両先端部に球面突起部材を装着し、突起部位をもって垂直に三陰交の壺を押圧することで頻尿を解消する壺押し器を提供する。【解決手段】押圧アーム１の先端部の双方に球面突起部材２を装着して壺押し器本体３を形成したもので、押圧アームを開き突起部分で三陰交の壺部位４をとらえ、垂直に押圧できる機能を整え、併せて、壺押し器本体の球面突起部材の一方の基軸５に筒を設けて嵌脱自在の平面盤固形部材６を回動可能な状態で嵌装し、壺裏側の押圧力を分散させ皮膚面への刺激の緩和を図り、相乗効果により三陰交の壺への押圧を一段と向上させ良好な刺激を生むようにした。【選択図】図３
0003217618.tif 000002
【実用新案登録請求の範囲】
【請求項１】
挟持力のあるアームの形状、機能、構造を、押圧力のあるアームに換えるとしたもので、そのアームの両先端部に球面突起を形成する部材を装着し、その突起部で三陰交の壺を垂直に押圧することで頻尿を解消するとし、他の壺への押圧にも使用することができ効果があることを特徴とする壺押し器である。
【請求項２】
この押圧アームに装着の球面突起部材の一方に嵌脱自在の平面盤固形部材を回動可能な状態に嵌装し使用することで、三陰交の壺の裏側にある皮膚面への押圧力を分散し刺激を緩和することで、三陰交の壺への効能を一段と高めることで頻尿を解消するとし、他の壺への押圧にも使用することができ効果があることを特徴とする壺押し器である。
【考案の詳細な説明】
【技術分野】
【０００１】      本考案はふとんはさみの挟持力アームをヒントに形状、機能、構造を押圧力に換えることで価値を生むよう発想の転換を図り、人体の特定部位を垂直に押すことで効き目のある構造に形成し、三陰交の壺を押圧することで、頻尿を解消するとした壺押し器に関するものである。
【背景技術】
【０００２】      従来の壺押し器の壺に対する押圧は、使用する者が支持アームを両手で持ち、挟むなどして壺を押圧するとした機能であって、本考案で指示している壺押し器のような形状はなく、押圧力を内蔵した壺押し器であっても取り扱いが複雑で操作に手間が掛かるなどの問題点があった。
【先行技術文献】
【特許文献】
【０００３】
【特許文献１】特開  ２０００−８４０３７  公願
【考案の概要】
【考案が解決しようとする課題】
【０００４】      これまでの壺押し器の機能においては、その作用により壺への押圧面をとらえる部材の先端部分が多面的であり、特定の壺を専門的にとらえ諸症状の解消を図る押圧部材としては効能に難点があったのでそれを解決するとして、本考案による球面突起の作用で壺への押圧を垂直に当てる特別機能をもって、三陰交の壺を押圧し頻尿を解消するに適した構造に組み換え、欠点を解決しようとするものである。
【考案を解決するための手段】
【０００５】      本考案はふとんはさみの形状、機能、構造などを新たな発想に転換して価値を生むとしたもので、アームの機能に保有する挟持力を壺を押圧する力に換え特定の壺を押すことで、頻尿を解決する壺押し器として考案したものである。本構造は一対の押圧力のあるアームの双方の先端部に球面突起部材を装着することにより、壺への押圧角度が皮膚面に垂直に当たることで、三陰交の壺を適確に押す作用を果たし、刺激を与え頻尿を解消することに適した壺押し器としたものである。更に本機能の向上を図るため押圧アームの先端部に装着の球面突起部材の一方に嵌脱自在の平面盤固形部材を回動可能に嵌装することで、壺裏側の皮膚面に受ける押圧力を分散し刺激を緩和する作用を果たしながら、壺への押圧力は一段と向上させるとした相乗効果と相俟って問題点を解決するに至った壺押し器である。
【考案の効果】
【０００６】      上記のように本考案の壺押し器により、その他の壺への押圧活用は勿論、特定する三陰交の壺への押圧する刺激効果で頻尿を解消する壺押し器として役立つものである。
【図面の簡単な説明】
【０００７】
【図１】本考案の壺押し器の正面図である。
【図２】本考案の壺押し器に平面盤固形部材を嵌装した正面図である。
【図３】本考案の使用状態を示した全体正面図と一部断面図である。
【考案を実施するための形態】
【０００８】      以下本考案を実施するための形態について説明する。押圧アームの先端部双方に球面突起部材を設け、この突起部分の機能によって三陰交の壺に垂直に押圧することで刺激を与えて頻尿を解消するとしたものである。
更に、押圧力の効果を向上するための球面突起部材の一方に嵌脱自在の平面盤固形部材を回動可能な状態で嵌装することによって、球面突起部材の当たる壺の接点と、平面盤固形部材で受ける皮膚面の刺激を緩和することにより、本機能の相乗効果を生かすことで、押す力の強化の向上を図り、壺への効能を一段と高めるものとした壺押し器の構造である。これを使用するときは双方の押圧アームを開き、球面突起部分で三陰交の壺を押圧することで頻尿を解消することは勿論、その他の壺を押圧することにも対応可能であることから適応する他の壺を押すことで諸症状への押圧効果にも役立つものとした。
【実施例】
【０００９】    以下、添付図面に従って実施例を説明する。図３は本考案の一実施例を示す正面図であって、押圧アーム１の先端部の双方に球面突起部材２を装着して、壺押し器本体３を形成するもので、押圧アーム１を開き其々の突起部分の一方は三陰交の壺部位４をとらえ垂直に押圧し、他方は壺の裏側を垂直に押圧することで頻尿を解消するとした主な機能をもって、簡潔な構造に纏め簡素な形状にしたことで取り扱いが容易で収納も簡単であることから使用頻度も難なく、手軽に実施できるようにしたものである。【００１０】    上記の壺押し器本体３の機能を向上させるため、球面突起部材２の一方の基軸５に嵌脱自在の平面盤固形部材６を回動可能な状態で取り付けて使用するため、この部材６の平面盤の下部中心に筒７を設け嵌装するとしたことで、壺裏側の押圧力を分散させ皮膚面への刺激の緩和を図りながら、特定の壺への押圧力を一段と増強させる相乗効果を形成することをもって、三陰交の壺部位４を両足首の近く内側にある三陰交の壺断面図８で示すとおりの壺押圧が実施できたところである。
【符号の説明】
【００１１】１  押圧アーム
２  球面突起部材
３  壺押し器本体
４  三陰交の壺部位
５  球面突起部材基軸
６  平面盤固形部材
７  平面盤固形部材の筒
８  両足首近く内側にある三陰交の壺断面図
【図１】
0003217618.tif 000003
【図２】
0003217618.tif 000004
【図３】
0003217618.tif 000005
【手続補正書】
【提出日】平成30年6月1日(2018.6.1)
【手続補正１】
【補正対象書類名】実用新案登録請求の範囲
【補正対象項目名】全文
【補正方法】変更
【補正の内容】
【実用新案登録請求の範囲】
【請求項１】
挟持力のあるアームの形状、機能、構造を、押圧力のあるアームに換えるとしたもので、そのアームの両先端部に球面突起を形成する部材を装着し、その突起部で三陰交の壺を垂直に押圧することで頻尿を解消するとし、他の壺への押圧もできることを特徴とする壺押し器。
【請求項２】
押圧力のあるアームに装着の球面突起部材の一方に嵌脱自在の平面盤固形部材を回動可能な状態に嵌装することを特徴とする請求項１記載の壺押し器。
(57)【要約】      （修正有）【課題】酸素との接触により酸化腐食や劣化を防止できるガラス密閉収容体を提供する。【解決手段】ガラス体１に空洞２を設け、当該空洞２内に保存したい物３を収め、ガラスでコーティングすることで空気との接触を断った。【選択図】図１
0003217631.tif 000002
【実用新案登録請求の範囲】
【請求項１】
ガラス体に空洞を設け、当該空洞内に保存したい物を収め、ガラスでコーティングすることで空気との接触を断ったガラス密閉収容体
【考案の詳細な説明】
【考案の概要】
【考案が解決しようとする課題】
【０００１】  思い入れのあるもの等を保管する場合には、酸素との接触により酸化腐食や劣化の問題が発生する。本考案はこの問題を解決しようとするものである。
【課題を解決するための手段】
【０００２】  ガラスの密閉性と透明度に着目し、ガラス体内部に空洞を設けて、当該空洞に物を収めることで、前述の問題を解決しようとするものである。
【考案の効果】
【０００３】  上述の様に、本考案はガラスの密閉収容体の空洞部に物を収めることで腐食や劣化を防止できる。
【図面の簡単な説明】
【０００４】
【図１】本収容体の断面図である。
【考案を実施するための形態】
【０００５】  保存したい物を密閉ガラス体内部の空洞に収めることで、酸素との接触を遮断する。
【符号の説明】
【０００６】  １  ガラス
２  空洞
３  収容物
【図１】
0003217631.tif 000003
(57)【要約】      （修正有）【課題】和服着用時に使用しても違和感がない和服用長靴を提供する。【解決手段】和服用長靴１は、足を入れる本体２及びこの下面に有する本底３をゴム製にて構成してなり、本体１の下部２ａは全体が足の甲に沿う形状であると共に、表面には足袋及び草履模様２ｂが施されている。【選択図】図１
0003217632.tif 000002
【実用新案登録請求の範囲】
【請求項１】
足を入れる本体及びこの下面に有する本底をゴム製にて構成してなり、前記本体の下部は全体が前記足の甲に沿う形状であると共に、表面には足袋及び草履模様が施されていることを特徴とする和服用長靴。
【考案の詳細な説明】
【技術分野】
【０００１】  本考案は、和服着用時において雨や雪等の悪天候時において足先を保護する長靴に関する。
【背景技術】
【０００２】  和服着用時には、草履や下駄を使用するが、雨や雪等の悪天候時には足元が濡れてしまう問題がある。【０００３】  このような場合の対策として、草履等の上に被せて使用するカバー型の防水用具が知られている（特許文献１参照）。
【先行技術文献】
【特許文献】
【０００４】
【特許文献１】実用新案登録第３２０５５５９号公報
【考案の概要】
【考案が解決しようとする課題】
【０００５】  斯かる先行技術文献では、少雨時等の軽微な悪天候時には有効であるものの、大雨や雪等の激しい悪天候時には対応しきれないと言う問題がある。
【課題を解決するための手段】
【０００６】  本考案は、このような問題を解決するために、足を入れる本体及びこの下面に有する本底をゴム製にて構成してなり、前記本体の下部は全体が前記足の甲に沿う形状であると共に、表面には足袋及び草履模様が施されたものである。
【考案の効果】
【０００７】  本考案に係る和服用長靴は、和服着用時に使用しても違和感がなく、激しい悪天候時に対応できる。
【図面の簡単な説明】
【０００８】
【図１】  本考案の実施例の説明図である。
【考案を実施するための形態】
【０００９】  本考案に係る和服用長靴は、足を入れる本体及びこの下面に有する本底をゴム製にて構成してなり、前記本体の下部は全体が前記足の甲に沿う形状であると共に、表面には足袋及び草履模様が施されているものであり、和服着用時に使用しても違和感がなく、激しい悪天候時における防水対策を確実に行うことができる。
【実施例】
【００１０】  以下、図１に基づいて本考案の実施例を説明するが、図面には右足用のみを示しており、同図中、（ａ）は正面図、（ｂ）は平面図、（ｃ）は右側面図、（ｄ）は左側面図である。【００１１】  １は、本考案に係る和服用長靴であり、一般的な長靴と同様にゴム製であって、足を入れる本体２と、この本体２の下面に位置して滑り止め加工が施された本底３とをゴム製にて構成している。【００１２】  この和服用長靴１の本体２の少なくとも踝付近までを覆う下部２ａは、足の甲に沿う形状であり、表面全体が白色の足袋をイメージさせる白色または乳白色等の白色系で、先端部には例えば鼻緒の意匠を印刷あるいは鼻緒を模した別部品の添着による足袋及び草履模様２ｂが施されており、あたかも足袋及び草履を履いているかの如く見える効果を有している。【００１３】  また、下部２ａに連続してふくらはぎ辺りまで立設する和服用長靴１の上部２ｃは、その外周に花柄や家紋等の適宜デザインからなるアクセサリー模様２ｄが施されている。【００１４】  斯かる和服用長靴１は、完全に足先からふくらはぎ辺りまで保護することができるため、大雨や雪等の激しい悪天候時にも対応可能である。【００１５】  しかも、着物着用時には、和服用長靴１の下部２ａしか見えないことから、一見すると足袋及び草履模様２ｂによって和服用長靴１の存在が意識されにくい。【００１６】  また、上部２ｃに設けたアクセサリー模様２ｄにより、単なる防寒機能性の発揮に留まらず、長靴１の識別が容易となる実用性やファッション性を加味して用いることができる。【００１７】  なお、本考案は、性別や年齢、あるいは、用途等の使用者の要望に合わせるべく足袋及び草履模様２ｂのデザインを任意に設定することができるもので、例えば、黒色の足袋と適宜色の草履をイメージさせるデザインとすることも可能である。【００１８】  これにより、地域や時期において和服の着用がためらわれる場合での和服着用を可能とする。【００１９】  また、昨今の着物離れで反物が着物として売れ細る現状において、消えゆく伝統織物等の需要を増やし、使用者からすれば、これまでにない完全な防寒対策を得ることができる。
【符号の説明】
【００２０】    １  和服用長靴
２  本体
２ａ  下部
２ｂ  足袋及び草履模様
２ｃ  上部
２ｄ  アクセサリー模様
３  本底
【図１】
0003217632.tif 000003
(57)【要約】      （修正有）【課題】どこにいても清潔な状態で使用できる毛抜き、またはピンセットを提供する。【解決手段】使い捨てすることを目的とした、プラスティック、またはシリコン、または金属で作られた毛抜き、またはピンセットを滅菌、または除菌、または殺菌し個別包装することで、菌による感染を防ぐことができ、清潔に使用できる。【選択図】図１
0003217695.tif 000002
【実用新案登録請求の範囲】
【請求項１】
使い捨て可能な、簡易使用を目的とした、プラスティック、またはシリコン、または金属素材からなる毛抜き及びピンセット。
【請求項２】
ビニル素材からなる袋で、かつ清潔さを保持させるため、内部が抗菌、滅菌、除菌をする構造の袋をセットにし、容易に持ち運べる請求項１記載の清潔簡易毛抜き。
【考案の詳細な説明】
【技術分野】
【０００１】本考案は、毛抜き、またはピンセットに関する。
【背景技術】
【０００２】従来の毛抜き、またはピンセットは使い捨てを想定されず作られており、使用のたびに消毒、清掃、火で炙るなど滅菌が必要であった。
【考案の開示】
【考案が解決しようとする課題】
【０００３】しかし、これでは外出先、またはその他大勢が使う場所に設置する場合、また傷口に直接使用する場合に衛生的に使用することが出来ず不便である。
【課題を解決するための手段】
【０００４】そこで、使い捨て、簡易使用を目的とした毛抜き、またはピンセットを滅菌、または除菌、または殺菌し清潔な状態で個別包装する。
【考案の効果】
【０００５】よって、本考案の清潔簡易毛抜きにより、いつ如何なる場所で使用しても、傷口に直接使用する場合も菌の感染を心配せずに清潔な状態で使用することが可能となる。
【考案を実施するための最良の携帯】
【０００６】  本考案に係る毛抜き、またはピンセットを使い捨てにし、個別包装にすることで、パッケージの中身を容易に除菌、または滅菌、または殺菌状態にすることができる。滅菌するために火で炙るなどの手間がかからず、すぐに使用することが可能になり、緊急性を用いた清潔な器具が必要な状態での使用を安易になるよう構成された形状である。
【産業上の利用可能性】
【０００７】本考案は、生活必需品、アメニティを製造する産業で利用される。
【図１】
0003217695.tif 000003
【手続補正書】
【提出日】平成30年6月26日(2018.6.26)
【手続補正１】
【補正対象書類名】明細書
【補正対象項目名】全文
【補正方法】変更
【補正の内容】
【考案の詳細な説明】
【技術分野】
【０００１】本考案は、毛抜き、またはピンセットに関する。
【背景技術】
【０００２】従来の毛抜き、またはピンセットは使い捨てを想定されず作られており、使用のたびに消毒、清掃、火で炙るなど滅菌が必要であった。
【考案の開示】
【考案が解決しようとする課題】
【０００３】しかし、これでは外出先、またはその他大勢が使う場所に設置する場合、また傷口に直接使用する場合に衛生的に使用することが出来ず不便である。
【課題を解決するための手段】
【０００４】そこで、使い捨て、簡易使用を目的とした毛抜き、またはピンセットを滅菌、または除菌、または殺菌し清潔な状態で個別包装する。
【考案の効果】
【０００５】よって、本考案の清潔簡易毛抜きにより、いつ如何なる場所で使用しても、傷口に直接使用する場合も菌の感染を心配せずに清潔な状態で使用することが可能となる。
【考案を実施するための最良の形態】
【０００６】本考案に係る毛抜き、またはピンセットを使い捨てにし、個別包装にすることで、パッケージの中身を容易に除菌、または滅菌、または殺菌状態にすることができる。滅菌するために火で炙るなどの手間がかからず、すぐに使用することが可能になり、緊急性を用いた清潔な器具が必要な状態での使用を安易になるよう構成された形状である。
【産業上の利用可能性】
【０００７】本考案は、生活必需品、アメニティを製造する産業で利用される。
【図面の簡単な説明】
【０００８】
【図１】全体図
【符号の説明】
【０００９】（１）・・・毛抜き
（２）・・・外袋
【手続補正２】
【補正対象書類名】図面
【補正対象項目名】全図
【補正方法】変更
【補正の内容】
【図１】
0003217695.tif 000004
(57)【要約】      （修正有）【課題】刀剣の面の働きを一番よく見ることができるライトの位置、刀剣の面の位置及び角度、を調節する刀剣用の展示ケースを提供する。【解決手段】透明なガラス又はプラスチックのケース１と、ケース１上の、刀剣の働き（模様）がよく見える位置に貼り付けた四角形の枠２からとなり、枠２を通して、ケース１内の刀剣を見れば、刀剣の働き（模様）をよく見ることができる。【選択図】図１
0003217699.tif 000002
【実用新案登録請求の範囲】
【請求項１】
刀剣を透明なガラスやプラスチックのケースに入れて展示したとき、刀の働き（模様）がよく見える位置に設けた枠の中から刀剣を見ることで、鑑賞者に刀の働き（模様）がよく見える立ち位置や目の位置を模索することなくスムーズに余分な時間をかけず、刀剣の働き（模様）を鑑賞することができるケース
【考案の詳細な説明】
【技術分野】
【０００１】  本考案は、刀剣の働き（模様）が一番よく見ることができる、刀剣の展示ケースに関するものである。
【背景技術】
【０００２】  刀剣を鑑賞するにはライトの光を刀剣にあてて鑑賞する。ライトの光を刀剣の面にあてると、その反射光が人の目に入ることによって刀剣の面の刃文や地鉄の働き（模様）を見ることができる。
【考案の概要】
【考案が解決しようとする課題】
【０００３】  刀剣の面の働き（模様）を一番よく見ることができるライトの位置、刀剣の面の位置及び角度、人の目の位置によって決まる。ライトの位置と刀剣の面の位置及び角度を調節すれば、人の目の位置で丁度よい位置が決まる。この丁度よい位置を模索していると、鑑賞に時間がかかる。
【課題を解決するための手段】
【０００４】  刀剣を透明なガラスやプラスチックのケースに入れて展示したとき、丁度刀の働き（模様）がよく見える場所が決まる。その位置に四角形や丸形の枠を取り付けたり貼り付けたりして設ける。
ライトを複数設置すれば、丁度刀の働き（模様）がよく見える目の位置が複数できるので、枠を複数設けることもできる。
【考案の効果】
【０００５】  刀剣の働き（模様）が一番よく見える位置を自ら模索して鑑賞する必要がなくなる。スムーズに余分な時間をかけずに刀剣を鑑賞することができる。特に鑑賞者が多人数で列を作って並んでいる場合、列の進行を速く進めることができ、鑑賞者にとっても刀剣を鑑賞するまでの列の待ち時間が短くなる。
【図面の簡単な説明】
【０００６】
【図１】本考案の刀剣の展示ケースの一実施例を示す正面図である。
【考案を実施するための形態】
【０００７】  刀剣を透明なガラスやプラスチックのケースに入れて展示したとき、丁度刀の働き（模様）がよく見える場所が決まる。その位置に四角形や丸形の枠を取り付けたり貼り付けたりして設ける。
【実施例】
【０００８】  以下、添付図面に従って一実施例を説明する。１は透明なガラス又はプラスチックのケース、２は刀の働き（模様）がよく見える位置に貼り付けた四角形の枠で、この枠の中から刀剣を見れば、刀剣の働き（模様）をよく見ることができる。
【符号の説明】
【０００９】  １  透明ケース
２  枠
【図１】
0003217699.tif 000003
【手続補正書】
【提出日】平成30年6月8日(2018.6.8)
【手続補正１】
【補正対象書類名】実用新案登録請求の範囲
【補正対象項目名】請求項１
【補正方法】変更
【補正の内容】
【請求項１】
透明なガラス又はプラスチックのケースと、前記ケース上の、刀剣の働き（模様）がよく見える位置に貼り付けた四角形の枠からとなり、前記枠を通して、前記ケース内の刀剣を見れば、前記刀剣の働き（模様）をよく見ることができることを特徴とする刀剣用の展示ケース。
(57)【要約】      （修正有）【課題】地球温室効果ガスを出さない燃料電池車と水素ステーションを必要としない電気自動車の長所を組み合わせた地球温暖化防止車両を提供する。【解決手段】燃料電池車において、リチウムイオン電池２と、発電機４とを備え、リチウムイオン電池は、インバーター３とコントローラ５を介して燃料電池車に接続され、発電機は、コントローラを介して燃料電池車に接続される。【選択図】図１
0003217694.tif 000002
【実用新案登録請求の範囲】
【請求項１】
次世代自動車として燃料電池車は、水素と酸素の化学反応によって電気を作る燃料電池車の力で進む自動車である。運転中には水しか出ない為、次世代のクリーン自動車として開発が進んでいるが販売価格が高価格な上水素の生産や輸送ステーション低コスト化が課題であり、水素燃料の水素ガスだけでは実走行距離が計測で定められていますが水素ステーションが数過小な為水素ガス補給までの運転中に不安になる要素である。その為に電気自動車と組み合わせた交互に使用する為水素ガスが少量でリチウムイオン電池により走行距離が長くなるので、実用新案を提出します。
【考案の詳細な説明】
【考案の詳細な説明】
【産業上の利用分野】
【０００１】この考案は、燃料電池車と電気自動車を組み合わせた車両
【背景技術】
【０００２】燃料電池車の水素ステーションの課題があり、高価格など問題になっている。
【考案が解決しようとする課題】
【０００３】この考案は、燃料電池車の長所と電気自動車の長所を組み合わせたいい所提供する。
【課題を解決する為の手段】
【０００４】この考案は、地球温室効果ガスを出さない次世代エコカーと電気自動車を組み合わせた車両である。
【作用】
【０００５】この考案は、上記の手段を講じた燃料電池車と電気自動車を組み合わせた車両である。
【実施例】
【０００６】以下、図面に示す実施例である。この実施例は燃料電池車は全体図で電気自動車とどう車両の図面である。
【考案の効果】
この考察は、燃料電池車と電気自動車の長所を組み合わせた車両なので地球温暖化防止になる。
【図面の簡単な説明】
【図１】この考案の実施例を示す斜視図である。
【符号の説明】▲１▼…燃料電池車
▲２▼…電気自動車およびリチウムイオン電池
▲３▼…インバーター
▲４▼…発電機（充電用）
▲５▼…コントローラー
【図１】
0003217694.tif 000003
【手続補正書】
【提出日】平成29年9月20日(2017.9.20)
【手続補正１】
【補正対象書類名】実用新案登録請求の範囲
【補正対象項目名】全文
【補正方法】変更
【補正の内容】
【実用新案登録請求の範囲】
【請求項１】
次世代自動車として燃料電池車は水素と酸素の化学反応によって電気を作る燃料電池車の力で進む自動車である運転中には水しか出ない為次世代のクリーン自動車として開発が進んでいるが販売価格が高価格なうえ水素の生産や輸送ステーション低コスト化が課題であり水素燃料の水素ガスだけでは実走行距離が計測で定められていますが水素ステーションが数過小な為水素ガス補給までの運転中に不安になる要素である為燃料電池車の水素と酸素の化学反応で発生した電気をインバーターを介してモーターに電気を通電して推進する燃料電池車であるが推進して一方で発電機により電気自動車のリチウムイオン電池に満充電出来るように結線されている為普通充電器が不要になり電気自動車のリチウムイオン電池が１００％充電可能になりリチウムイオン電池からインバーターを介してモーターに電気を通電して推進し水素ガスの少量化又は走行距離が延びるように燃料電気自動車と電気自動車を交互に使用するように組み合わせた全世界で使用可能にした全車種に搭載出来る特徴をもった考案である。
【手続補正書】
【提出日】平成29年12月19日(2017.12.19)
【手続補正１】
【補正対象書類名】実用新案登録請求の範囲
【補正対象項目名】請求項１
【補正方法】変更
【補正の内容】
【請求項１】
燃料電池車は水素と酸素の化学反応によって電気を作る燃料電池車の電気の力で進む自動車である運転中には水しか出ない為次世代のクリーン自動車として開発が進んでいるが販売価格が高価格なうえ水素の生産や輸送ステーション低コスト化が課題であり水素燃料の水素ガスだけでは実走行距離が計測で定められているが水素ステーションが数過少な所が現状である電気自動車を組み合わせる事により▲１▼燃料電池車に▲４▼発電機を取り付け走行中に▲２▼リチウムイオン電池に▲４▼発電機で発電した電力を▲５▼コントローラーにより走行車であっても満充電されるように接続回路になっているその為▲２▼リチウムイオン電池から▲３▼インバータを介して▲５▼コントローラーに接続されているので▲１▼燃料電池車の駆動モーターに電力を供給されるように接続回路になっているその為に燃料電池車が動く装置を備えているので走行距離が延びるように交互に使用する事を特徴とする燃料電池車と電気自動車を組み合わせた車両。
【手続補正書】
【提出日】平成30年3月14日(2018.3.14)
【手続補正１】
【補正対象書類名】実用新案登録請求の範囲
【補正対象項目名】全文
【補正方法】変更
【補正の内容】
【実用新案登録請求の範囲】
【請求項１】
「燃料電池車▲１▼」に「発電機▲４▼」を取り付けてエネルギーを発生する機構を備えている、「リチウムイオン電池▲２▼」と「コンデンサー▲６▼」に大容量の電気を蓄えるように結線しているので発進する際に「リチウムイオン電池▲２▼」と「コンデンサー▲６▼」の電源を同時に流れるように介しているので満充電又は放電を繰り返し行ない、「インバーター▲３▼」と「コントローラー▲５▼」を介して「燃料電池車▲１▼」に大容量の電流が流れるので車両が動く仕組みになり、水素ガスが少量で「リチウムイオン電池▲２▼」により走行距離が長くなるように、交互に使用する事が出来る電気自動車を組み合わせてあるシステムを備えた燃料電池車。
【手続補正２】
【補正対象書類名】明細書
【補正対象項目名】０００６
【補正方法】変更
【補正の内容】
【０００６】
以下、図面に示す実施例である。この実施例は燃料電池車は全体図で電気自動車とどう車両の図面である。
【考案の効果】
この考察は、燃料電池車と電気自動車の長所を組み合わせた車両なので地球温暖化防止になる。
【図面の簡単な説明】
【図１】
この考案の実施例を示す斜視図である。
【符号の説明】
▲１▼…燃料電池車
▲２▼…リチウムイオン電池
▲３▼…インバーター
▲４▼…発電機（充電用）
▲５▼…コントローラー
▲６▼…コンデンサー
【手続補正３】
【補正対象書類名】図面
【補正対象項目名】全図
【補正方法】変更
【補正の内容】
【図１】
0003217694.tif 000004
【手続補正書】
【提出日】平成30年6月8日(2018.6.8)
【手続補正１】
【補正対象書類名】実用新案登録請求の範囲
【補正対象項目名】全文
【補正方法】変更
【補正の内容】
【実用新案登録請求の範囲】
【請求項１】
燃料電池車において、
リチウムイオン電池（２）と、発電機（４）とを備え、
前記リチウムイオン電池（２）は、インバーター（３）とコントローラ（５）を介して燃料電池車に接続され、前記発電機（４）は、コントローラ（５）を介して燃料電池車に接続されることを特徴とする燃料電池車。
(57)【要約】      （修正有）【課題】ユーザーの持ち物に合わせた組み合わせの小物入れを自由に作ることができる、ブロック玩具のようなカスタマイズできる小物ケースを提供する。【解決手段】小物入れ同士を、本体に取り付けられた雄・雌ボタンを使って、ケース同士を２つ以上接続させることで、ユーザーの持ち物に合わせた組み合わせの小物入れを自由に作ることができる。作業中の探し物や紛失を防ぐことが出来て、作業時間が少なくなり、無用なストレスにさらされずに済む。【選択図】図３
0003217626.tif 000002
【実用新案登録請求の範囲】
【請求項１】
本考案は、小物が収納できるポケット状あるいは箱状のケースの正面、背面、右側面、左側面のうち、
いずれか２つ以上の面にオスのスナップボタン（ホック）とメスのスナップボタン（ホック）のどちらかが備え付けられており、
同じ構造を持ったケース同士が、オスのスナップボタン（ホック）あるいはメスのスナップボタン（ホック）を使って接続できる上、
更に、接続されていない面のオスのスナップボタン（ホック）あるいはメスのスナップボタン（ホック）を使って、
同じ構造を持った別のケースが接続できるという複数のケースが接続できる構造を持ったホック付きの小物ケースである。
【請求項２】
本考案は、小物が収納できるポケット状あるいは箱状のケースの正面、背面、右側面、左側面のうち、
いずれか２つ以上の面にマジックテープが備え付けられており、
同じ構造を持ったケース同士が、マジックテープを使って接続できる上、
更に、接続されていない面のマジックテープを使って、同じ構造を持った別のケースが接続できるという
複数のケースが接続できる構造を持ったマジックテープ付き小物ケースである。
【請求項３】
本考案は、小物が収納できるポケット状あるいは箱状のケースの正面、背面、右側面、左側面のうち、
いずれか２つ以上の面に接続する為の接続部が備え付けられており、
同じ構造を持ったケース同士が、接続部を使って接続できる上、
更に、接続されていない面の接続部を使って、同じ構造を持った別のケースが
接続できるという複数のケースが接続できる構造を持った接続部付き小物ケースである。
【考案の詳細な説明】
【技術分野】
【０００１】小物入れ
【背景技術】
【０００２】小物を収納する場合、筆記具入れ、工具入れ、化粧ポーチなど、
持ち物に合わせたケースを複数使って収納している。
【先行技術文献】
【特許文献】
【０００３】
【特許文献１】
【非特許文献】
【０００４】
【非特許文献１】
【考案の概要】
【考案が解決しようとする課題】
【０００５】小物入れは筆記具入れ、工具入れ、化粧ポーチなど用途ごとに、バラバラである。
それらを効率的に収納する場合、筆記具入れ、工具入れ、化粧ポーチなど、購入する必要がある。
課題として、以下のような状況を挙げる。Ａ氏は、某会社内で営業職に就いている。
Ａ氏は職場の物流倉庫で、仕事をする場合、ボールペンとサインペン、カッターナイフを必要とする。
また、煙草も吸う為、喫煙具を持ち歩きたいと考えている。
しかし、ボールペンやサインペン、喫煙具が効率的に収納されていない為、
時に紛失し探す時間が掛かっている。
それらを同時に効率よく収納し、更に出し入れが容易であれば、作業効率が上がると考えている。
本考案は、これらの課題を以下の道具を用いることで解決する。
各個人で異なる筆記具や喫煙具などの小物を１つにし、効率的に収納し、
効率よく出し入れが可能な収納具の提案である。
【課題を解決するための手段】
【０００６】小物入れ同士を、本体に取り付けられた雄・雌ボタンを使って、２つ以上接続させることで、ユーザーの持ち物に合わせた組み合わせの小物入れを自由に作ることができる。
まるで、ブロック玩具のようなカスタマイズできる小物入れを提案する。
【考案の効果】
【０００７】必要最低限のケースをボタンで接続することにより、荷物が減り、
探すことなく即時に必要な小物を取りだすことが出来るようになり、
時間の短縮、ストレスの軽減が可能となる。
【図面の簡単な説明】
【０００８】
【図１】ボタン式小物ケース正面斜視図
【図２】ボタン式小物ケース背面斜視図
【図３】ボタン式小物ケース正面斜視図（接続時）
【図４】ボタン式小物ケース背面斜視図（接続時）
【考案を実施するための形態】
【０００９】正面に配置されたボタン（３）、背面に配置されたボタン（４）左側面に配置されたボタン（５）、右側面に配置されたボタン（６）の雄雌いずれかのボタンを使って、
ボタン付き小物ケース（１）と別のボタン付き小物ケース（２）を接続する。
更に別の小物ケースを必要に応じて複数接続して使用する。
【符号の説明】
【００１０】１．ボタン付きケースＡ  ２．ボタン付きケースＢ  ３．正面に配置されたボタン  ４．背面に配置されたボタン  ５．左側面に配置されたボタン  ６．右側面に配置されたボタン
【図１】
0003217626.tif 000003
【図２】
0003217626.tif 000004
【図３】
0003217626.tif 000005
【図４】
0003217626.tif 000006
【手続補正書】
【提出日】平成30年6月6日(2018.6.6)
【手続補正１】
【補正対象書類名】実用新案登録請求の範囲
【補正対象項目名】請求項１
【補正方法】変更
【補正の内容】
【請求項１】
本考案は、小物が収納できるポケット状あるいは箱状のケースの正面、背面、右側面、左側面のうち、
いずれか２つ以上の面にオスのスナップボタン又はホックとメスのスナップボタン又はホックのどちらかが備え付けられており、
同じ構造を持ったケース同士が、オスのスナップボタン又はホック、あるいはメスのスナップボタン又はホックを使って接続できる上、
更に、接続されていない面のオスのスナップボタン又はホック、あるいはメスのスナップボタン又はホックを使って、
同じ構造を持った別のケースが接続できるという複数のケースが接続できる構造を持ったホック付きの小物ケース。
【手続補正２】
【補正対象書類名】実用新案登録請求の範囲
【補正対象項目名】請求項２
【補正方法】変更
【補正の内容】
【請求項２】
本考案は、小物が収納できるポケット状あるいは箱状のケースの正面、背面、右側面、左側面のうち、
いずれか２つ以上の面に面ファスナーが備え付けられており、
同じ構造を持ったケース同士が、面ファスナーを使って接続できる上、
更に、接続されていない面の面ファスナーを使って、同じ構造を持った別のケースが接続できるという
複数のケースが接続できる構造を持った面ファスナー付き小物ケース。
(57)【要約】【課題】反射板が不用意に傾いたり、回転したりすることがほとんどない安定的なボタン表面部材を提供する。  【解決手段】  反射性材料からなる表面板（２）を最上部に有し、下部に取付用脚部（４）を有するボタン表面部材（１）である。前記取付用脚部（４）は上部の平板状部分（４１）と下部の円柱状部分（４２）からなり、前記平板状部分（４１）に複数の突起（４３）が設けられている。好ましくは、前記複数の突起（４３）は、薄い楕円板状の下向き突起であり、前記平板状部分（４１）上で放射状に配置されている。【選択図】図３
0003214503.tif 000002
【実用新案登録請求の範囲】
【請求項１】
反射性材料からなる表面板（２）を最上部に有し、下部に取付用脚部（４）を有するボタン表面部材（１）であって、
前記取付用脚部（４）は上部の平板状部分（４１）と下部の円柱状部分（４２）からなり、前記平板状部分（４１）には複数の突起（４３）が設けられている
ことを特徴とするボタン表面部材（１）。
【請求項２】
前記複数の突起（４３）は、薄い楕円板状の下向き突起であり、前記平板状部分（４１）上で放射状に配置されている請求項１記載のボタン表面部材（１）。
【考案の詳細な説明】
【技術分野】
【０００１】
本考案は、ボタンの表面部材に関し、特に、表面板が反射性材料からなるものに関する。
【背景技術】
【０００２】
夜間に照明の少ない場所で自動車を運転するとき、運転者は歩行者を視認することが難しいので、人身事故を起こしやすくなる。このようなとき、歩行者を目立たせるために、衣服に反射性材料からなる表面板を有するボタンを着用することが提案されている（特許文献１）。このボタンはヘッドライトの光に照らされたときに反射するので、運転者は歩行者を視認しやすくなる。
【先行技術文献】
【特許文献】
【０００３】
【特許文献１】実開昭５５―４４９
【考案の概要】
【考案が解決しようとする課題】
【０００４】
上記従来例のボタンは、反射板を表面に有するボタン本体と、糸挿通用の脚部からなる。この脚部は生地に対して針金を逆Ω状に取り付けたものであり、安定性が悪い。そのため、ボタン本体とともに反射板が傾くことが多く、ヘッドライトの光を反射させるのに適当な角度を維持することが難しい。その結果、光の反射効果が十分に発揮されないことになる。
【０００５】
本考案は、反射板が不用意に傾いたり、回転したりすることがほとんどない安定的なボタン表面部材を提供することを目的とする。
【課題を解決するための手段】
【０００６】
本考案は、反射性材料からなる表面板を最上部に有し、下部に取付用脚部を有するボタン表面部材であって、前記取付用脚部は上部の平板状部分と下部の円柱状部分からなり、前記平板状部分に複数の下向き突起が設けられていることを特徴とする。
【０００７】
好ましくは、前記複数の突起は、薄い楕円板状の下向き突起であり、前記平板状部分上で放射状に配置されている。
【考案の効果】
【０００８】
本考案は、平板状部分に複数の下向き突起が設けられている。この突起は生地と圧接するので、表面部材が不用意に回転したり傾いたりすることが防止される。その結果、表面部材は生地に対して安定的に位置が固定され、光を反射させるのに適当な角度を維持しやすくなる。
【図面の簡単な説明】
【０００９】
【図１】本考案に係るボタン表面部材の１実施例の平面図である。
【図２】同底面図である。
【図３】図１のＡ−Ａ断面図である。
【図４】このボタン表面部材を用いてボタンの雌部材を形成し、それを雄部材と係合させた状態の断面図である。
【考案を実施するための形態】
【００１０】
以下、添付の図面に基づき、本考案の実施例を説明する。
【実施例１】
【００１１】
図１〜３に示すように、このボタン表面部材１は、円板状の表面板２と、その下の円板状の支持板３と、さらにその下の脚部４と、これらの端部をかしめる側板５を有する。
【００１２】
図３に示すように、表面板２は、反射性材料からなり、暗闇で光を受けると夜行性動物の目のように反射して光り輝く。反射性材料としてはそれ自体公知のものを使用することができる。
【００１３】
支持板３は、表面板２と脚部４の間に取り付けられ、表面板２を支持すると共にかしめ機械でかしめるときの補強板となる。
【００１４】
脚部４は上部の平板状部分４１と下部の円柱状部分４２からなる。
【００１５】
平板状部分４１は、図２、図３に示すように、８か所の薄い楕円板状の下向き突起４３が放射状に配置されている。この突起４３が第１生地６と圧接するので、不用意に表面部材が回転したり、傾いたりするのを防止することができる。その結果、表面板２は第１生地６に対して安定的に位置が固定される。すなわち、ヘッドライトの光を反射させるのに適当な角度を維持しやすい。
【００１６】
円柱状部分４１は、図４に示すように、取り付け生地５と共にボタンの雌部材６にかしめられる。さらに同図に示すように、雄部材８とスナップ嵌めにより別の第２生地９と接合させることができる。
【００１７】
側板５は、表面板２の周縁部２１から、支持版３の側面３１を経て、平板状部分４１の周縁部４４にかけて、これらを包み込むように一体化している。
【符号の説明】
【００１８】
１     ボタン表面部材
２     表面板
２１  表面板の周縁部
３     支持板
３１   支持板側面
４     脚部
４１   平板状部分
４２   円柱状部分
４３   平板状部分の突起
４４  平板状部分の周縁部
５     側板
６     第１生地
７     雌部材
８     雄部材
９     第２生地
【図１】
0003214503.tif 000003
【図２】
0003214503.tif 000004
【図３】
0003214503.tif 000005
【図４】
0003214503.tif 000006
(57)【要約】      （修正有）【課題】車内でノート型パソコンを操作するときの利便性が向上する車両ノート型パソコン収納装置を提供する。【解決手段】ダッシュボード１のグローブボックス５の上部に収納部６を設け、収納部は、ノート型パソコン７を収納する収納スペースと、ノート型パソコンを置く置き台と、置き台を収納スペースの外部に引き出す摺動手段と、摺動手段を前後に移動させる駆動手段と、駆動手段の動作を制御する操作手段８と、を有し、置き台が収納スペース内に位置する時に操作手段を動作させた場合、置き台が収納スペースから引き出されノート型パソコンの操作が可能な状態になり、置き台が収納スペースから引き出された位置にある時に操作手段を動作させた場合、置き台が収納スペース内に収納される。【選択図】図１
0003214535.tif 000002
【実用新案登録請求の範囲】
【請求項１】
ダッシュボードのグローブボックスの上部に収納部を設け、前記収納部は、ノート型パソコンを収納する収納スペースと、前記ノート型パソコンを置く置き台と、前記置き台を前記収納スペースの外部に引き出す摺動手段と、前記稼働手段を前後に移動させる駆動手段と、前記稼働手段の動作を制御する操作手段と、を有し、前記置き台が前記収納スペース内に位置する時に前記操作手段を動作させた場合、前記置き台が前記収納スペースから引き出されノート型パソコンの操作が可能な状態になり、前記置き台が前記収納スペースから引き出された位置にある時に前記操作手段を動作させた場合、前記置き台が前記収納スペース内に収納されることを特徴とする
車両ノート型パソコン収納装置。
【考案の詳細な説明】
【技術分野】
【０００１】  本考案は、ノート型パソコンと車両の一体か（搭載）を図った車両にに関する考案事案である。
【背景技術】
【０００２】  従来の車両は、ノート型パソコンがダッシュボードのグローブボックスの上部に収納部を設けそのスペースから押しボタン一つで自由に出し入れ出来る様に内蔵（一体か）されていなかった、そのためスマートかつステディに前記ノート型パソコンを使用者が合理的・利便的に活用出来なかった。
【考案の概要】
【考案が解決しようとする課題】
【０００３】  従来の車両では、ノート型パソコンを前記に搬入しなければならず、使用者にとっては利便性・合理性に欠けるものであった、本考案は、この様な不便性を解決するために、前記ノート型パソコンをダッシュボードのグローブボックスの上部に収納部を設け、前記収納部に前記ノート型パソコンを自由に出し入れ出来る様に押しボタン一つでできるスマート・ステディで合理的な車両を実現することを目的とするものである。
【課題を解決するための手段】
【０００４】  そして、本考案は、上部目的を達成するために、ダッシュボードのグローブボックスの上部に収納部を設け、前記収納部は、ノート型パソコンを収納する収納スペースと、前記ノート型パソコンを置く置き台と、前記置き台を前記収納スペースの外部に引き出す摺動手段と、前記摺動手段を前後に移動させる駆動手段と、前記稼働手段の動作を制御する操作手段と、を、有し、前記置き台が前記収納スペース内に位置する時に前記操作手段を動作させた場合、前記置き台が前記収納スペースから引き出されノート型パソコンの操作が可能な状態になり、前記置き台が前記収納スペースから引き出された位置にある時に前記操作手段を動作させた場合、前記置き台が前記収納スペース内に収納される構成としたものである。
【考案の効果】
【０００５】  ノート型パソコンをダッシュボードのグローブボックスの上部に収納部を設け、押しボタンを押すことで収納部に収納されたノート型パソコンを自由に出し入れ出来るので、必要な時に自由にノート型パソコンを使用して、例えば、インターネットにつないで、調べものができたり資料作成が出来るという効果がある。
【図面の簡単な説明】
【０００６】
【図１】  本考案の実施形態を示す車両ノート型パソコン収納装置を備えたダッシュボードの外観図。
【考案を実施するための形態】
【０００７】  本考案の実施の形態を図１に基づいて説明する。
【０００８】  自動車内部のダッシュボード１に、スピードメーター２、変速ギア―３カーラジオ４を備えている、また、助手席の前方部のグローブボックス５の上部に収納部６を設け、収納部６にはノート型パソコン７を備えている、さらに、押しボタン８（操作手段）を操作すれば、ノート型パソコン７の出し入れが自動で出来る構成となっている。
また、収納部６は、収納する収納スペースと、ノート型パソコンを置く置き台と、この置き台を収納スペースから外部に引き出す摺動手段と、摺動手段を前後に移動させる駆動手段と、駆動手段の動作を制御する押しボタン８を有している。
次に、動作について説明する。
置き台が収納スペース内に位置する時に押しボタン８を動作させた場合、置き台が収納スペースから引き出されノート型パソコンの操作が可能な状態になり、置き台が収納スペースから引き出された位置にある時に押しボタン８を動作させた場合、置き台が収納スペース内に収納される。
【符号の説明】
【０００９】      １  ダッシュボード
２  スピードメーター
３  変速ギア―
４  カーラジオ
５  グローブボックス
６  収納部
７  ノート型パソコン
８  押しボタン（操作手段）
【図１】
0003214535.tif 000003
【手続補正書】
【提出日】平成29年11月13日(2017.11.13)
【手続補正１】
【補正対象書類名】実用新案登録請求の範囲
【補正対象項目名】全文
【補正方法】変更
【補正の内容】
【実用新案登録請求の範囲】
【請求項１】
ダッシュボードのグローブボックスの上部に収納部を設け、前記収納部は、ノート型パソコンを収納する収納スペースと、前記ノート型パソコンを置く置き台と、前記置き台を前記収納スペースの外部に引き出す摺動手段と、前記摺動手段を前後に移動させる駆動手段と、前記駆動手段の動作を制御する操作手段と、を有し、前記置き台が前記収納スペース内に位置する時に前記操作手段を動作させた場合、前記置き台が前記収納スペースから引き出されノート型パソコンの操作が可能な状態になり、前記置き台が前記収納スペースから引き出された位置にある時に前記操作手段を動作させた場合、前記置き台が前記収納スペース内に収納されることを特徴とする車両ノート型パソコン収納装置。
(57)【要約】      （修正有）【課題】様々な魚の釣り上げに対応できる自動シャクリ釣具を提供する。【解決手段】クランク機構を通して竿６を傾斜させるモータと、ボリューム３の操作角度と同じ値だけ竿６の傾斜角度を変化させる様にそのモータを制御するコントローラを備え、操作角度をコントローラのメモリに時系列で記憶させることにより、釣り人が竿を見ながら好みのシャクリ動作を一定時間そのコントローラに教示した後、スイッチ２の切替えにより、そのシャクリ動作を何度でも繰り返し再生させる様にした。【選択図】図１
0003214534.tif 000002
【実用新案登録請求の範囲】
【請求項１】
魚を釣る自動シャクリ釣具において、クランク機構を通して竿を傾斜させるモータと、ボリュームの操作角度と同じ値だけ竿の傾斜角度を変化させる様にそのモータを制御するコントローラを備え、操作角度をコントローラのメモリに時系列で記憶させることにより、釣り人が竿を見ながら好みのシャクリ動作を一定時間そのコントローラに教示した後、スイッチの切替えにより、そのシャクリ動作を何度でも繰り返し再生させることができることを特徴とした自動シャクリ釣具。
【考案の詳細な説明】
【技術分野】
【０００１】  本考案はシャクリ動作のパターンを釣り人の好み通りに設定できる様にすることにより、様々な魚の釣り上げに対応可能にした自動シャクリ釣具に関するものである。
【背景技術】
【０００２】  従来の自動シャクリ機はコントローラのボリュームやスイッチの操作により、竿のシャクリ速度や動作／停止の時間等を設定し、単純な動作を組み合わせたシャクリ動作しか行なえなかった。
【考案の概要】
【考案が解決しようとする課題】
【０００３】  従来の自動シャクリ機では釣り人の経験に基づいたシャクリ動作が行えず、様々な魚の釣り上げには対応できなかった。
【課題を解決するための手段】
【０００４】  本考案は釣り人のシャクリ動作そのものを記憶し、繰り返し再生させることで、自由度の高いシャクリ動作が可能な自動シャクリ釣具を提供する。
【考案の効果】
【０００５】  規則的な動きに囚われない自由度の高いシャクリ動作が再現可能なため、様々な魚を釣るのに対応できる様になった。
【図面の簡単な説明】
【０００６】
【図１】本考案の斜視図である。
【図２】シャクリ機内部機構の上面図である。
【図３】シャクリ機内部機構の正面図である。
【図４】システムのブロック図である。
【考案を実施するための形態】
【０００７】  以下、本考案を実施するための形態を図面に基づき説明する。
図１により、本考案シャクリ機の操作を説明する。
釣り人はシャクリ機本体１の表面パネルにある切替スイッチ２により「停止」→「教示」→「再生」の順でモードを選択する。
「停止」モードではモータは停止し、竿は動かない。
「教示」モードを選択時には、ボリューム３の操作角度に対し、竿ホルダ５の傾斜角度が追従する。これにより、釣り人は竿を直接触ることなく、ボリューム３を回転させる事によって、竿ホルダ５に取り付けた竿６にシャクリ動作を行わせることができる。また同時にコントローラはその操作角度を設定された時間（例えば０．０５秒）ごとに、あらかじめ設定された最大記録可能時間だけ記録する。ブザー４は「教示」モード時の記録可能な残り時間を釣り人に簡易的に知らせる。例えば最大記録可能時間を２０秒とすると、教示開始時間より１６秒までは、１秒鳴動／３秒無音を繰り返す。その後の記録が終了するまでの４秒間は、１秒鳴動／１秒無音を繰り返すといった様に、音のパターンが変化することにより、教示可能時間が終了間近であることを知らせる。
「再生」モードを選択すると「教示」モードで記録された一連のシャクリ動作を「停止」モードを選択するまで竿６が繰り返す。
以上の操作により、シャクリ釣具に任意の動作を記録させた後、それを繰り返し再生させる。
図２、３により、本考案シャクリ機の機構を説明する。
モータ７は減速機８を通してモータギア９、クランクギア１０を回転させる。連結棒１１のジョイント部はクランクギア１０の側面に、もう一方はアーム１２先端に取り付けてある。ギアの回転に伴い連結棒１１は往復運動し、アーム軸１３を通して竿ホルダ５を揺動させる。また軸受１４を通してアーム軸１３のもう一端には検出ギア（Ａ）１５が取り付けてあり、それにかみ合った検出ギア（Ｂ）１６がポテンショメータ１７を回転させる。
図４により、本考案シャクリ機のシステムを説明する。
表面パネルの切替スイッチ２により選択された動作モードは、コントローラ１８内の入力インターフェイス１９を通してＣＰＵ２２に入力される。鳴動信号は出力インターフェイス２１を通してブザー４に出力される。操作角度はボリューム３により、アーム軸１３の傾斜角度はポテンショメータ１７によって、それぞれアナログインターフェイス２０、２５を通してＣＰＵ２２に入力される。「教示」モード時、ＣＰＵ２２は前者を目標値データとし、メモリ２３に記録すると同時に、後者を制御対象データとし、それを追従させる様に位置決めフィードバック演算を行い、モータドライバ２４を通してモータ７を駆動する。「再生」モードでは、ＣＰＵ２２はメモリ２３に記録された角度データを目標値データとし、位置決めフィードバック演算を行いモータ７を駆動する。
【符号の説明】
【０００８】１  シャクリ機本体
２  切替スイッチ
３  ボリューム
４  ブザー
５  竿ホルダ
６  竿
７  モータ
８  減速機
９  モータギア
１０  クランクギア
１１  連結棒
１２  アーム
１３  アーム軸
１４  軸受け
１５  検出ギア（Ａ）
１６  検出ギア（Ｂ）
１７  ポテンショメータ
１８  コントローラ
１９  入力インターフェイス
２０  アナログインターフェイス
２１  出力インターフェイス
２２  ＣＰＵ
２３  メモリ
２４  モータドライバ
２５  アナログインターフェイス
【図１】
0003214534.tif 000003
【図２】
0003214534.tif 000004
【図３】
0003214534.tif 000005
【図４】
0003214534.tif 000006